(57)【要約】【課題】  コンパクトで且つ簡便な構成にして、さらに取付け取り外しが容易であり、またさほど負荷をかけずに集塵機のダスト吸引力の力を借りて、火花含有ダストに係る火花をたやすく消し去る火花の消火装置を提供する。【解決手段】  外形が筒状にして、一端側に火花含有ダストDUSを吸込む側の吸入側筒口32aを有する主要筒部3と、該主要筒部の吐出側筒口33aに吸入側筒孔42が接続され、吐出側筒孔43が火花含有ダストDUSの吸込みダクト口Dmへ接続される先端筒部4とを備えた外套シェル2と、主要筒部3内を横断するように仕切って配設される通気性を有する充填物8と、外套シェル1の筒内に給水管92が導入され、充填物8へ噴霧水95を噴射する噴霧ノズル93が給水管92に取着された給水手段9と、を具備し、噴霧ノズル93の噴霧水95で充填物8を濡らすことにより、吸入側筒口32aを通って吸い込む前記火花含有ダストDUSが、前記充填物8の領域で消火される。【選択図】  図１
2010201305.tif 000002
【特許請求の範囲】
【請求項１】
外形が筒状にして、一端側に火花含有ダスト（ＤＵＳ）を吸込む側の吸入側筒口（３２ａ）を有する主要筒部（３）と、該主要筒部の吐出側筒口（３３ａ）に吸入側筒孔（４２）が接続され、吐出側筒孔（４３）が火花含有ダスト（ＤＵＳ）の吸込みダクト口（Ｄｍ）へ接続される先端筒部（４）と、を備えた外套シェル（２）と、
前記主要筒部（３）内を横断するように仕切って配設される通気性を有する充填物（８）と、
前記外套シェル（１）の筒内に給水管（９２）が導入され、前記充填物（８）へ噴霧水（９５）を噴射する噴霧ノズル（９３）が前記給水管（９２）に取着された給水手段（９）と、を具備し、
該噴霧ノズル（９３）の噴霧水（９５）で前記充填物（８）を濡らすことにより、前記吸入側筒口（３２ａ）を通って吸い込む前記火花含有ダスト（ＤＵＳ）が、前記充填物（８）の領域で消火されることを特徴とする火花の消火装置。
【請求項２】
前記主要筒部（３）を形成する主筒部（３１）の一方の筒口（３１ａ）に、吸入側筒口（３２ａ）を開口させた下蓋部（３２）が設けられると共に、他方の筒口（３１ｂ）に吐出側筒口（３３ａ）を開口させた上蓋部（３３）が設けられ、且つ該下蓋部（３２）又は上蓋部（３３）がヒンジ部（６）を介して前記主筒部（３１）に開閉自在に取付けられる請求項１記載の火花の消火装置。
【請求項３】
一端側筒口（５２）が火花含有ダスト（ＤＵＳ）を吸込む吸込み口とすると共に、他端側筒口（５３）が前記主要筒部（３）の吸入側筒口（３２ａ）に接続される基端筒部（５）を更に備えた外套シェル（２）とし、且つ前記充填物（８）が不織布からなる盤状体とする請求項１又は２に記載の火花の消火装置。
【発明の詳細な説明】
【技術分野】
【０００１】
本発明は、火花含有ダストを集塵機へ導入するに先立ち、その前処理として設置される装置で、火花含有ダストに係る火花を消し去る火花の消火装置に関する。
【背景技術】
【０００２】
工場の作業現場では、例えば図１のように作業員ｍが作業台ＢＥのワークＷを工具Ｔで加工処理することが一般に行われている。そして、そのワーク加工でダストＤＵが発生する場合がある。ダストの放置は作業環境を悪くすることから、従来は、例えば吸込みダクトＤＴのダクト口ＤｍをダストＤＵの発生源に近づけ、該吸込みダクトを集塵機ＤＣにつなげてダスト処理がなされていた。図１中、符号ＳＴはストレーナ、符号ｈは吊具、符号Ｆは集塵機ＤＣのファンを示す。
しかし、そのワーク加工でダストＤＵと共に火花Ｓが発生することがある。斯かる場合、火花Ｓが消えることなく、吸込みダクトＤＴ，ストレーナＳＴを経由して集塵機ＤＴにたどり着くと、集塵機ＤＣの火災を招く虞があった。
こうしたなか、衝突板等を設けた火の粉消火装置が提案されている（例えば特許文献１）。
【先行技術文献】
【特許文献】
【０００３】
特開２００７−１９６１９３公報
【発明の概要】
【発明が解決しようとする課題】
【０００４】
しかし、特許文献１の発明は、「ダストを空送するダクトに接続される所要寸法の本体内に、流れを交差するダスト衝突板が設けられ、そのダスト衝突板の配置箇所の下側に水槽を設けて、火の粉を前記ダストの衝突板に衝突させて水槽内に落し消火させる構成であることを特徴とする火の粉消火装置」であって、大掛かりな装置になっていた。実際、その技術分野も、「廃棄物の固形燃料化設備等で発生する高温の排ガスを処理する過程で、排ガス中に同伴する高温ダストの発火による集塵設備への影響を防止する火の粉消火装置」に関するものであり、本発明の工場の室内環境を整えるための火花含有ダストに係る火花の処理と違って、高温にして排ガス量が一般に大きく、ダスト衝突板や水槽を設けるなどの大掛かりな構成になっていた。
【０００５】
本発明は上記問題点を解決するもので、コンパクトで且つ簡便な構成にして、さらに取付け取り外しが容易であり、またさほど負荷をかけずに集塵機のダスト吸引力を借りて、火花含有ダストに係る火花をたやすく消し去る火花の消火装置を提供することを目的とする。
【課題を解決するための手段】
【０００６】
上記目的を達成すべく、請求項１に記載の発明の要旨は、外形が筒状にして、一端側に火花含有ダスト（ＤＵＳ）を吸込む側の吸入側筒口（３２ａ）を有する主要筒部（３）と、該主要筒部の吐出側筒口（３３ａ）に吸入側筒孔（４２）が接続され、吐出側筒孔（４３）が火花含有ダスト（ＤＵＳ）の吸込みダクト口（Ｄｍ）へ接続される先端筒部（４）と、を備えた外套シェル（２）と、前記主要筒部（３）内を横断するように仕切って配設される通気性を有する充填物（８）と、前記外套シェル（１）の筒内に給水管（９２）が導入され、前記充填物（８）へ噴霧水（９５）を噴射する噴霧ノズル（９３）が前記給水管（９２）に取着された給水手段（９）と、を具備し、該噴霧ノズル（９３）の噴霧水（９５）で前記充填物（８）を濡らすことにより、前記吸入側筒口（３２ａ）を通って吸い込む前記火花含有ダスト（ＤＵＳ）が、前記充填物（８）の領域で消火されることを特徴とする火花の消火装置にある。
請求項２の発明たる火花の消火装置は、請求項１で、主要筒部（３）を形成する主筒部（３１）の一方の筒口（３１ａ）に、吸入側筒口（３２ａ）を開口させた下蓋部（３２）が設けられると共に、他方の筒口（３１ｂ）に吐出側筒口（３３ａ）を開口させた上蓋部（３３）が設けられ、且つ該下蓋部（３２）又は上蓋部（３３）がヒンジ部（６）を介して前記主筒部（３１）に開閉自在に取付けられることを特徴とする。
請求項３の発明たる火花の消火装置は、請求項１又は２で、一端側筒口（５２）が火花含有ダスト（ＤＵＳ）を吸込む吸込み口とすると共に、他端側筒口（５３）が前記主要筒部（３）の吸入側筒口（３２ａ）に接続される基端筒部（５）を更に備えた外套シェル（２）とし、且つ前記充填物（８）が不織布からなる盤状体とすることを特徴とする。
【０００７】
請求項１の発明のごとく、充填物を濡らすことにより、前記吸入側筒口を通って吸い込む前記火花含有ダストが、前記充填物の領域で消火されると、充填物をくぐり抜けた火花含有ダストは集塵機に導いても火災発生することがなくなる。
請求項２の発明のごとく、下蓋部又は上蓋部がヒンジ部を介して前記主筒部に開閉自在に取付けられると、充填物の交換が容易になる。目詰まり等に対処する直接洗浄などの作業も容易になる。
請求項３の発明のごとく、一端側筒口が火花含有ダストを吸込む吸込み口とすると共に、他端側筒口が前記主要筒部の吸入側筒口に接続される基端筒部を更に備えると、前記吸込み口を小さくすることで、火花含有ダストを吸込む吸引力を高めることができ、また使い勝手を良くすることもできる。また、充填物が不織布からなる盤状体とすると、通気抵抗を極めて小さくできるので、火花の消火装置に特に動力源をもたすことなく、集塵機の動力源に依存させて使用できる。しかも、不織布は三次元網目構造の空隙率が高いわりに、噴霧ノズルで繊維の濡れ面積を大きくできるので、火花含有ダストが不織布を通過する間に火花が濡れた繊維に接触して効果的に消火されるようになる。
【発明の効果】
【０００８】
本発明の火花の消火装置は、充填物と噴霧ノズルの相乗効果によって、火花含有ダストに係る火花を容易に消し去るばかりか、通気抵抗が小さいので、自身に動力源をもたずとも集塵機のダスト吸引力に依存して使用でき、さらに簡便な構成にしてコンパクト且つ軽量化できるなど生産現場での火花含有ダスト中の火花の消火処理に極めて有益である。
【図面の簡単な説明】
【０００９】
【図１】本発明の火花の消火装置の一形態で、火花の消火装置と共にこれが取付けられる吸込みダクトや集塵装置を表す説明斜視図である。
【図２】図１の概略縦断面図である。
【図３】図２の状態から主筒部の上側筒口を開けた概略縦断面図である。
【図４】図１〜図３とは異なる他態様図で、図２に対応する概略縦断面図である。
【図５】図１〜図３や図４とまた異なる別態様図で、図２に対応する概略縦断面図である。
【発明を実施するための形態】
【００１０】
以下、本発明に係る火花の消火装置（以下、単に「消火装置」という。）について詳述する。図１〜図５は本発明の火花の消火装置の一形態で、図１はその装置が取付けられる吸込みダクトや集塵装置を表す説明斜視図、図２は図１の概略縦断面図、図３は図２の状態から主要筒部に係る上蓋部を開けた概略縦断面図、図４は図１〜図３とは異なる他態様図、図５は図１〜図３や図４とまた異なる別態様図である。
【００１１】
消火装置１は外套シェル２と充填物８と給水手段９とを具備する。
外套シェル２は、一端側に火花含有ダストＤＵＳを吸込む側の吸入側筒口３２ａを有する主要筒部３と、該主要筒部３の吐出側筒口３３ａに吸入側筒孔４２が接続され、吐出側筒孔４３が火花含有ダストＤＵＳの吸込みダクト口Ｄｍへ接続される先端筒部４と、を備えた外形が筒状のボディである。本実施形態は主要筒部３とヒンジ部６と係止具７１と止具７２と先端筒部４と基端筒部５とを備える。
【００１２】
主要筒部３は外形が中空四角柱状の筒体で、外套シェル２のなかで図１のごとくこの部位が水平四方に膨らむ形になっている。主要筒部３は主筒部３１と下蓋部３２と上蓋部３３とを備える。主要筒部３を形成する主筒部３１の一方の筒口３１ａに、吸入側筒口３２ａを開口させた下蓋部３２が設けられると共に、他方の筒口３１ｂに吐出側筒口３３ａを開口させた上蓋部３３が設けられる。主筒部３１は四角筒状にして、その一方の筒口３１ａ(図１,図２では下側筒口)を矩形の板状下蓋部３２が蓋をする。また他方の筒口３１ｂ(図１,図２では上側筒口)を矩形の板状上蓋部３３が蓋をする。下蓋部３２の中央には吸入側筒口３２ａが設けられ、その大きさは基端筒部５の接続部分たる筒口５３と等しくする。下蓋部３２は主筒部３１に固着一体化される。
【００１３】
前記上蓋部３３はヒンジ部６を介して主筒部３１に開閉自在に取付けられる。ヒンジ部６が上蓋部３３の一側縁と主筒部３１の上側筒口３１ｂの近くの外縁とを連結し、ヒンジ部６を支点にして上蓋部３３が主筒部３１に対し回動自在に開閉できるようにしている。上蓋部３３の他側縁には係止具７１が設けられる一方、主筒部３１に上蓋部３３で蓋をした図１,図２の状態で、該係止具の対向する主筒部３１には止具７２が設けられる。係止具７１,止具７２は簡略図示するが、止具７２が係止具の孔７１ａを通って閉止することにより主筒部３１と上蓋部３３とが固定一体化される。
符号３８は給水手段９に係る給水管９２の先端部を係止する挿着部、符号３９は主筒部３１の内壁に設けられる止金具で、主筒部３１の筒内を横切るように仕切って充填される充填物８を主筒部３１に係止するものである。止金具３８も簡略図示するが、充填物８を取付け,取外しを容易にして、充填物８の円滑交換を助ける金具構成になっている。
【００１４】
先端筒部４は、外形が筒状にして、前記主要筒部３の吐出側筒口３３ａに吸入側筒孔４２が接続され、吐出側筒孔４３が火花含有ダストＤＵＳの吸込みダクト口Ｄｍへ接続される筒部である。本実施形態の先端筒部４は、図１〜図３のごとく、吸入側筒孔４２から吐出側筒孔４３へ先細りの円錐台形の筒形状で、その先端部分を吸込みダクトＤＴのダクト口Ｄｍへ挿着できる形状とする。先端筒部４の先端をダクト口Ｄｍから吸込みダクトＤＴに挿入して、図示しない係合具によって吸込みダクトＤＴの先端部ＤＴ１に着脱自在に取着できるようにしている。一方、先端筒部４の基端部分は、前記主要筒部３に係る上蓋部３３の吐出側筒口３３ａに合う筒孔４２を形成する。先端筒部４の基端部分が筒孔４２を筒口３２ａに一致させ、上蓋部３３に固着一体化されている。
【００１５】
基端筒部５は、一端側筒口５２が火花含有ダストＤＵＳを吸込む吸込み口として、他端側筒口５３に前記主要筒部３の吸入側筒口３２ａが接続される円錐台形の筒部である。他端側筒口５３から一端側筒口５２に向け先細りの円錐台状筒部とする。基端筒部５は特に設けなくて、外套シェル２を主要筒部３,先端筒部４,ヒンジ部６,係止具７１,止具７２で構成することもできる。しかし、基端筒部５を設けることによってその先端部分５１ａの吸込み口５２を小さくし、火花含有ダストＤＵＳを吸込む吸引力を高めることができ、また場合によっては、先端部分５１ａを蛇腹構成にするなどして火花含有ダストＤＵＳの吸込みハンドリング性を高めることができるので、基端筒部５は在る方がより好ましくなる。図２の鎖線で示す先端部分５１ａは、蛇腹にして仮想追加したものである。
【００１６】
充填物８は前記主要筒部３内を横断するように仕切って配設される通気性を有する部材である。主筒部３１の筒穴が上下方向に配される消火装置１の使用状態下で、充填物８は盤状体の厚みある四角形盤とし、該主筒部３１内の一横断面を埋めるようにして水平配設される（図２）。充填物８には連続気泡の多孔性を有する発泡体や、編み物、織物等の布地、また不織布８ａ、さらに、塊状体,粒状体を敷き詰めたものや金属製多孔板等がある。なかでも不織布８ａからなる盤状体の充填物８は、ある程度厚みがあっても空隙率が高く、これを水で濡らした状態下でも、吸入側筒口３２ａを通って吸い込む火花含有ダストＤＵＳが、先端筒部４４の吐出側筒孔４３へと充填物８を低圧力損失で通過できるのでより好適となる。しかも、三次元網目構造の不織布８ａは、火花Ｓが水に濡れた不織布８ａの盤状体を通過する間に効果的に消火されるので打ってつけとなる。不織布８ａとは「天然繊維あるいは合成繊維を糸の形態を経ず、また、機械による製織操作を経ず、ウェッブや薄いマット状にしたのち、ニードルパンチなどにより繊維を互いにからみ合わせる機械的方法、あるいは接着剤を使用して繊維相互間を接着する方法、または、熱可塑性合成繊維を混用して熱処理することにより繊維間相互を融着する方法などによって作製した布様構成物。」（図解プラスチック用語辞典第２版,681頁,1994年11月27日発行）をいう。
本実施形態は、充填物８として図２のごとくマット状厚みにした不織布８ａの盤状体を用いる。主筒部３１の筒内形状の四角形に裁断した不織布８ａの盤状体で、吐出側筒口３３ａに近い主筒部３１内を横断するように覆って、止金具３９で主筒部３１内壁に取付ける。
【００１７】
給水手段９は前記外套シェル２の筒内に吸水管９２が導入され、充填物８へ噴霧水９５を噴射する噴霧ノズル９３が前記吸水管９２に取着された給水補給具である。ここでは給水管９２の先端を挿着部３８に挿入して固定状態とし、３個の分岐管の各上向き口に噴霧ノズル９３が取着されている。水道水等の配管から導管９１が配設され、該導管９１はスリーブ９５を介して外套シェル２の筒内の給水管９２と接続する。給水管９２の管先端の管孔を塞いで盲にする。給水管９２は、一端がスリーブ９５に支持され、他端の管先端部が前記挿着部３８に挿入されて主筒部３１に保持される。給水管９２は前記充填物８の下面８２から少し下方位置で、充填部物下面８２と並行配設される（図２）。導管９１の途中に設けた弁９４を開にすることで、噴霧ノズル９３から噴霧水９５が充填物８の下面８２に向かって上方噴射する。噴霧ノズル９３はフルコーンタイプのノズルで、各ノズルからの噴霧水９５で霧化状態になって充填物８の下面全体を覆うように濡らす。尚、充填物８の下面全体を覆うように濡らすことができるよう、主筒部３１の横断面積に応じて前記噴霧ノズル９３の個数が適宜増減される。
【００１８】
ここで、給水手段９の給水管９２は充填物８の上面８３から少し上方位置で、充填部物上面８３と平行配設し、分岐管の各下向き口に噴霧ノズル９３を取着することもできる。導管９１の途中に設けた弁９４を開にすることで、噴霧ノズル９３から噴霧水９５が充填物８の上面８３に向けて下方噴射するのである。しかし、図１〜図３のように噴霧ノズル９３から噴霧水９５が充填物８の下面８２へ向けて上方噴射するのがより好ましい。噴霧ノズル９３から上方噴射する噴霧水９５は、前記火花含有ダストＤＵＳが吸入側筒口３２ａを通って吸い込む方向に一致して、消火装置１による火花含有ダストＤＵＳの吸引に大きな抵抗にならないからである。集塵機ＤＣのファンＦの吸引動力を借りて消火装置１がより簡便構成で対応できる。
【００１９】
次に、前記消火装置１の一使用例と作用を説明する。まず、消火装置１は主要筒部３内に所定の充填物８を配設する。主筒部３１の上側筒口３１ｂに上蓋部３３で蓋をし、係止具７１に止具７２を通して主筒部３１と上蓋部３３を接続し固定一体化した図１,図２の消火装置１とする。次に、消火装置１の先端筒部４の先端部分を、既存の吸込みダクトＤＴのダクト口Ｄｍに挿着して固定する。続いて、集塵機ＤＣを稼働させファンＦを回す。作業員ｍは、弁９４を開にして噴霧ノズル９３から噴霧水９５を噴射させから、作業台ＢＥで火花含有ダストＤＵＳを発生させるワーク加工を実施する。これだけの動作で足りる。
作業員ｍが工具Ｔを使ってワーク加工を行った際に火花含有ダストＤＵＳが発生するが、該ダストＤＵは消火装置１,吸込みダクトＤＴを経由して集塵機ＤＣに向かう。火花含有ダストＤＵＳは基端筒部５の吸込み口５２から充填物８内を通過するが、このとき、充填物８を噴霧ノズル９３からの噴霧水９５が火花含有ダストＤＵＳの火花Ｓを直接消火する。さらに、噴霧水９５で表面が濡れた不織布８ａの盤状体を通過する間に火花Ｓは消し止められ、不織布８ａの通過後はダストＤＵのみになる。充填物８は噴霧水９５によってその表面全体が濡れており、充填物８を構成する繊維が互いにからみ合った三次元網目構造の繊維相互間の隙間を通過する際に、火花Ｓは繊維表面の濡面に接触して効率よく消火されていく。その一方で、充填物８は繊維相互間の隙間の割合が大きく、火花含有ダストＤＵＳはほとんど抵抗なく充填物８を通過する。充填物８を通過した段階では、火花含有ダストＤＵＳから火花Ｓが消失しダストＤＵだけが残る。該ダストＤＵは主要筒部３,先端筒部４を経て、外套シェル２から吸込みダクトＤＴ,ストレーナＳＴへと向かい、その後、集塵機ＤＣに入ってダストＤＵ処理がなされる。集塵機ＤＣではダストＤＵのみの処理になるため、従来のような火災を招くような事態は完全回避できる。火花含有ダストＤＵＳが消火装置１を通過する圧力損失が小さいので、集塵機ＤＣのファンＦの動力源を借りて火花Ｓの消火処理を簡便に実現する。
【００２０】
また、消火装置１の使用中に充填物８に目詰まり等で圧力損失が大きくなり始めたら、作業停止し、電源を切って集塵機ＤＣを止める。弁９４を閉にした後、図３のように止具７２を係止具７１から解除して、主筒部３１の上側筒口３１ｂを開ける。続いて、充填物８に付いたゴミ等の抵抗物をホースからの水で洗い落とす。或いは、充填物８を取り出し、該充填物を洗浄する一方、交換用充填物８を主要筒部３内に配設する。その後、主筒部３１の上側筒口３１ｂを閉め、弁９４を開にすると共に集塵機ＤＣを稼動させて、作業台ＢＥ上でのワーク加工を再開する。ワーク加工により発生する火花含有ダストＤＵＳは、前述と同様、その火花Ｓが充填物８を通過する間に消され、ダストＤＵのみが吸込みダクトＤＴ,ストレーナＳＴを通り、集塵機ＤＣに入ってダスト処理がなされる。
【００２１】
図４は図１〜図３と別態様の消火装置１で、図２に対応する概略縦断面図を示す。消火装置１は主筒部３１の一方の筒口３１ａに、吸入側筒口３２ａを開口させた下蓋部３２が設けられると共に、他方の筒口３１ｂに吐出側筒口３３ａを開口させた上蓋部３３が設けられる。上蓋部３３は主筒部３１に固着一体化される。一方、下蓋部３２はヒンジ部６を介して主筒部３１に開閉自在に取付けられる。ヒンジ部６が下蓋部３２の一側縁と主筒部３１の下側筒口３１ａの近くの外縁とを連結し、ヒンジ部６を支点にして下蓋部３２が主筒部３１に対し回動自在に開閉できる。下蓋部３２の他側縁には係止具７１が設けられる一方、主筒部３１に下蓋部３２で蓋をした状態で、該係止具の対向する主筒部３１には止具７２が設けられる。止具７２が係止具の孔７１ａを通って閉止することにより主筒部３１と下蓋部３２とが固定一体化される。他の構成は図１〜図３と同様で、その説明を省く。図１〜図３と同一符号は同一又は相当部分を示す。
【００２２】
図５は図１〜図３や図４とまた異なる別態様の消火装置１の全体斜視図である。先端筒部４をコーン状に長くし、吸込みダクトＤＴのダクト口Ｄｍへ一層挿着し易くする。他の構成は図１〜図３の消火装置１と同様で、その説明を省く。図１〜図３と同一符号は同一又は相当部分を示す。
【００２３】
このように構成した消火装置１は、主筒部３１を仕切った充填物８へ、噴霧ノズル９３から噴霧水９５を噴射させて、充填物８を水で濡らすことにより、消火装置１に導かれる火花含有ダストＤＵＳに対し、噴霧ノズル９３の噴霧水９５による直接的な消火だけでなく、充填物８の濡れた表面で火花含有ダストＤＵＳの中の火花Ｓを容易に消し去ることができる。特に、三次元網目構造の不織布８ａからなる充填物８は接触面積が大きく、水に濡れた濡れ面９９と火花Ｓとの接触効率が極めて大きいため、吸入側筒口３２ａを通って吸込む火花含有ダストＤＵＳが、より一層効果的に消火される。不織布８ａの繊維がつくる三次元網目構造の微小隙間を、火花Ｓの物体が該繊維と接触せずに通過するのは至難である。火花Ｓは一度でも繊維の濡れ面に接触すれば消火する。しかも、主要筒部３は外形が中空四角柱状の筒体で、外套シェル２のなかで図１のごとく水平四方に膨らむ構成であるので、充填物８を通過する際の火花含有ダストＤＵＳの流速は遅く、濡れ面９９との接触時間がその分長くなって、火花含有ダストＤＵＳの消火が確実になされる。かくして、充填物８を通過して先端筒部４の吐出側筒孔へと向かうのは、火花含有ダストＤＵＳからダストＤＵのみになり、これを集塵機ＤＣに導いても火災は起きなくなる。合理的構成にして安全性に優れた消火装置になっている。これにとどまらず、消火装置１は、火花含有ダストＤＵＳ中の大きな異物を、充填物８がフィルタ機能を働かせて捕捉するので、大きな異物を除去する集塵機ＤＣの前処理装置としての威力も発揮する。
【００２４】
また、火花含有ダストＤＵＳが筒状の外套シェル２を通過するにあたって、抵抗になる箇所は不織布８ａたる充填物８の部位だけであるので、さほど負荷がかからないので、集塵機ＤＣのダスト吸引力を借りることができる。マット状不織布８ａの繊維表面が水で濡れても、該不織布８ａの盤状体を通過する間の圧力損失は小さいので、集塵機ＤＣのファンＦの動力を借りて十分対応できる。消火装置専用の動力源を要しない。
【００２５】
さらに、特許文献１のごとく大掛かりな装置と違って、コンパクトで且つ簡便な構造であるので、低コストにして既存の工場現場にも後付け設置が容易である。しかも、主要構成の外套シェル２や不織布８ａからなる充填物８は、合成樹脂製品等で対応可能で軽量化を実現できるので、図１のごとく既存の吸込みダクトＤＴへそのまま挿着して使用できる。コンパクト且つ軽量であることから、生産現場で使用する消火装置として極めて理にかなった装置になっている。
加えて、先端筒部４を火花含有ダストＤＵＳの吸込みダクト口Ｄｍに挿着して吸込みダクトＤＴへ接続するので、取付け取り外しが容易である。また充填物８の洗浄や交換も、既述のごとく円滑実施でき作業性に優れる消火装置１になっている。
このように本消火装置１は数々の優れた効果を発揮し極めて有益である。
【００２６】
尚、本発明においては前記実施形態に示すものに限られず、目的,用途に応じて本発明の範囲で種々変更できる。外套シェル２，主要筒部３，主筒部３１，先端筒部４，基端筒部５，ヒンジ部６，係止具７１，止具７２，充填物８，給水手段９等の形状,大きさ,個数,材質等は用途に合わせて適宜選択できる。
【符号の説明】
【００２７】
１            火花の消火装置
２            外套シェル
３            主要筒部
３１          主筒部
３１ａ        一方の筒口
３１ｂ        他方の筒口
３２          下蓋部
３２ａ        吸入側筒口
３３          上蓋部
３３ａ        吐出側筒口
４            先端筒部
４２          吸入側筒孔
４３          吐出側筒孔
５            基端筒部
５２          一端側筒口
５３          他端側筒口
６            ヒンジ部
８            充填物
８ａ          不織布
９            吸水手段
９２          給水管
９３          噴霧ノズル
９５          噴霧水
ＤＵＳ        火花含有ダスト
Ｄｍ          ダクト口
【図１】
2010201305.tif 000003
【図２】
2010201305.tif 000004
【図３】
2010201305.tif 000005
【図４】
2010201305.tif 000006
【図５】
2010201305.tif 000007
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
外形が筒状にして、一端側に火花含有ダスト（ＤＵＳ）を吸込む側の吸入側筒口（３２ａ）を有する主要筒部（３）と、該主要筒部の吐出側筒口（３３ａ）に吸入側筒孔（４２）が接続され、吐出側筒孔（４３）が火花含有ダスト（ＤＵＳ）の吸込みダクト口（Ｄｍ）へ接続される先端筒部（４）と、を備えた外套シェル（２）と、
前記主要筒部（３）内を横断するように仕切って配設される通気性を有する充填物（８）と、
前記外套シェル（２）の筒内に給水管（９２）が導入され、前記充填物（８）へ噴霧水（９６）を噴射する噴霧ノズル（９３）が前記給水管（９２）に取着された給水手段（９）と、を具備し、
且つ前記主要筒部（３）を形成する主筒部（３１）の一方の筒口（３１ａ）に、前記吸入側筒口（３２ａ）を開口させた下蓋部（３２）が設けられると共に、他方の筒口（３１ｂ）に前記吐出側筒口（３３ａ）を開口させた上蓋部（３３）が設けられ、且つ該下蓋部（３２）又は上蓋部（３３）がヒンジ部（６）を介して前記主筒部（３１）に開閉自在に取付けられ、さらに前記外套シェル（２）は一端側筒口（５２）が火花含有ダスト（ＤＵＳ）を吸込む吸込み口とすると共に、他端側筒口（５３）が前記主要筒部（３）の前記吸入側筒口（３２ａ）に接続される基端筒部（５）を備え、且つ前記充填物（８）が不織布からなる盤状体として、前記噴霧ノズル（９３）の噴霧水（９６）で前記充填物（８）を濡らすことにより、前記吸入側筒口（３２ａ）を通って吸い込む前記火花含有ダスト（ＤＵＳ）が、前記充填物（８）の領域で消火されることを特徴とする火花の消火装置。
【手続補正２】
【補正対象書類名】明細書
【補正対象項目名】０００６
【補正方法】変更
【補正の内容】
【０００６】
上記目的を達成すべく、請求項１に記載の発明の要旨は、外形が筒状にして、一端側に火花含有ダスト（ＤＵＳ）を吸込む側の吸入側筒口（３２ａ）を有する主要筒部（３）と、該主要筒部の吐出側筒口（３３ａ）に吸入側筒孔（４２）が接続され、吐出側筒孔（４３）が火花含有ダスト（ＤＵＳ）の吸込みダクト口（Ｄｍ）へ接続される先端筒部（４）と、を備えた外套シェル（２）と、前記主要筒部（３）内を横断するように仕切って配設される通気性を有する充填物（８）と、前記外套シェル（２）の筒内に給水管（９２）が導入され、前記充填物（８）へ噴霧水（９６）を噴射する噴霧ノズル（９３）が前記給水管（９２）に取着された給水手段（９）と、を具備し、且つ前記主要筒部（３）を形成する主筒部（３１）の一方の筒口（３１ａ）に、前記吸入側筒口（３２ａ）を開口させた下蓋部（３２）が設けられると共に、他方の筒口（３１ｂ）に前記吐出側筒口（３３ａ）を開口させた上蓋部（３３）が設けられ、且つ該下蓋部（３２）又は上蓋部（３３）がヒンジ部（６）を介して前記主筒部（３１）に開閉自在に取付けられ、さらに前記外套シェル（２）は一端側筒口（５２）が火花含有ダスト（ＤＵＳ）を吸込む吸込み口とすると共に、他端側筒口（５３）が前記主要筒部（３）の前記吸入側筒口（３２ａ）に接続される基端筒部（５）を備え、且つ前記充填物（８）が不織布からなる盤状体として、前記噴霧ノズル（９３）の噴霧水（９６）で前記充填物（８）を濡らすことにより、前記吸入側筒口（３２ａ）を通って吸い込む前記火花含有ダスト（ＤＵＳ）が、前記充填物（８）の領域で消火されることを特徴とする火花の消火装置にある。
【手続補正３】
【補正対象書類名】明細書
【補正対象項目名】０００７
【補正方法】変更
【補正の内容】
【０００７】
請求項１の発明のごとく、充填物を濡らすことにより、前記吸入側筒口を通って吸い込む前記火花含有ダストが、前記充填物の領域で消火されると、充填物をくぐり抜けた火花含有ダストは集塵機に導いても火災発生することがなくなる。下蓋部又は上蓋部がヒンジ部を介して前記主筒部に開閉自在に取付けられると、充填物の交換が容易になる。目詰まり等に対処する直接洗浄などの作業も容易になる。一端側筒口が火花含有ダストを吸込む吸込み口とすると共に、他端側筒口が前記主要筒部の吸入側筒口に接続される基端筒部を更に備えると、前記吸込み口を小さくすることで、火花含有ダストを吸込む吸引力を高めることができ、また使い勝手を良くすることもできる。また、充填物が不織布からなる盤状体とすると、通気抵抗を極めて小さくできるので、火花の消火装置に特に動力源をもたすことなく、集塵機の動力源に依存させて使用できる。しかも、不織布は三次元網目構造の空隙率が高いわりに、噴霧ノズルで繊維の濡れ面積を大きくできるので、火花含有ダストが不織布を通過する間に火花が濡れた繊維に接触して効果的に消火されるようになる。
【手続補正４】
【補正対象書類名】明細書
【補正対象項目名】００１７
【補正方法】変更
【補正の内容】
【００１７】
給水手段９は前記外套シェル２の筒内に吸水管９２が導入され、充填物８へ噴霧水９６を噴射する噴霧ノズル９３が前記吸水管９２に取着された給水補給具である。ここでは給水管９２の先端を挿着部３８に挿入して固定状態とし、３個の分岐管の各上向き口に噴霧ノズル９３が取着されている。水道水等の配管から導管９１が配設され、該導管９１はスリーブ９５を介して外套シェル２の筒内の給水管９２と接続する。給水管９２の管先端の管孔を塞いで盲にする。給水管９２は、一端がスリーブ９５に支持され、他端の管先端部が前記挿着部３８に挿入されて主筒部３１に保持される。給水管９２は前記充填物８の下面８２から少し下方位置で、充填部物下面８２と並行配設される（図２）。導管９１の途中に設けた弁９４を開にすることで、噴霧ノズル９３から噴霧水９６が充填物８の下面８２に向かって上方噴射する。噴霧ノズル９３はフルコーンタイプのノズルで、各ノズルからの噴霧水９６で霧化状態になって充填物８の下面全体を覆うように濡らす。尚、充填物８の下面全体を覆うように濡らすことができるよう、主筒部３１の横断面積に応じて前記噴霧ノズル９３の個数が適宜増減される。
【手続補正５】
【補正対象書類名】明細書
【補正対象項目名】００１８
【補正方法】変更
【補正の内容】
【００１８】
ここで、給水手段９の給水管９２は充填物８の上面８３から少し上方位置で、充填部物上面８３と平行配設し、分岐管の各下向き口に噴霧ノズル９３を取着することもできる。導管９１の途中に設けた弁９４を開にすることで、噴霧ノズル９３から噴霧水９６が充填物８の上面８３に向けて下方噴射するのである。しかし、図１〜図３のように噴霧ノズル９３から噴霧水９６が充填物８の下面８２へ向けて上方噴射するのがより好ましい。噴霧ノズル９３から上方噴射する噴霧水９６は、前記火花含有ダストＤＵＳが吸入側筒口３２ａを通って吸い込む方向に一致して、消火装置１による火花含有ダストＤＵＳの吸引に大きな抵抗にならないからである。集塵機ＤＣのファンＦの吸引動力を借りて消火装置１がより簡便構成で対応できる。
【手続補正６】
【補正対象書類名】明細書
【補正対象項目名】００１９
【補正方法】変更
【補正の内容】
【００１９】
次に、前記消火装置１の一使用例と作用を説明する。まず、消火装置１は主要筒部３内に所定の充填物８を配設する。主筒部３１の上側筒口３１ｂに上蓋部３３で蓋をし、係止具７１に止具７２を通して主筒部３１と上蓋部３３を接続し固定一体化した図１,図２の消火装置１とする。次に、消火装置１の先端筒部４の先端部分を、既存の吸込みダクトＤＴのダクト口Ｄｍに挿着して固定する。続いて、集塵機ＤＣを稼働させファンＦを回す。作業員ｍは、弁９４を開にして噴霧ノズル９３から噴霧水９６を噴射させてから、作業台ＢＥで火花含有ダストＤＵＳを発生させるワーク加工を実施する。これだけの動作で足りる。
作業員ｍが工具Ｔを使ってワーク加工を行った際に火花含有ダストＤＵＳが発生するが、該ダストＤＵは消火装置１,吸込みダクトＤＴを経由して集塵機ＤＣに向かう。火花含有ダストＤＵＳは基端筒部５の吸込み口５２から充填物８内を通過するが、このとき、充填物８を噴霧ノズル９３からの噴霧水９６が火花含有ダストＤＵＳの火花Ｓを直接消火する。さらに、噴霧水９６で表面が濡れた不織布８ａの盤状体を通過する間に火花Ｓは消し止められ、不織布８ａの通過後はダストＤＵのみになる。充填物８は噴霧水９６によってその表面全体が濡れており、充填物８を構成する繊維が互いにからみ合った三次元網目構造の繊維相互間の隙間を通過する際に、火花Ｓは繊維表面の濡面に接触して効率よく消火されていく。その一方で、充填物８は繊維相互間の隙間の割合が大きく、火花含有ダストＤＵＳはほとんど抵抗なく充填物８を通過する。充填物８を通過した段階では、火花含有ダストＤＵＳから火花Ｓが消失しダストＤＵだけが残る。該ダストＤＵは主要筒部３,先端筒部４を経て、外套シェル２から吸込みダクトＤＴ,ストレーナＳＴへと向かい、その後、集塵機ＤＣに入ってダストＤＵ処理がなされる。集塵機ＤＣではダストＤＵのみの処理になるため、従来のような火災を招くような事態は完全回避できる。火花含有ダストＤＵＳが消火装置１を通過する圧力損失が小さいので、集塵機ＤＣのファンＦの動力源を借りて火花Ｓの消火処理を簡便に実現する。
【手続補正７】
【補正対象書類名】明細書
【補正対象項目名】００２３
【補正方法】変更
【補正の内容】
【００２３】
このように構成した消火装置１は、主筒部３１を仕切った充填物８へ、噴霧ノズル９３から噴霧水９６を噴射させて、充填物８を水で濡らすことにより、消火装置１に導かれる火花含有ダストＤＵＳに対し、噴霧ノズル９３の噴霧水９６による直接的な消火だけでなく、充填物８の濡れた表面で火花含有ダストＤＵＳの中の火花Ｓを容易に消し去ることができる。特に、三次元網目構造の不織布８ａからなる充填物８は接触面積が大きく、水に濡れた濡れ面９９と火花Ｓとの接触効率が極めて大きいため、吸入側筒口３２ａを通って吸込む火花含有ダストＤＵＳが、より一層効果的に消火される。不織布８ａの繊維がつくる三次元網目構造の微小隙間を、火花Ｓの物体が該繊維と接触せずに通過するのは至難である。火花Ｓは一度でも繊維の濡れ面に接触すれば消火する。しかも、主要筒部３は外形が中空四角柱状の筒体で、外套シェル２のなかで図１のごとく水平四方に膨らむ構成であるので、充填物８を通過する際の火花含有ダストＤＵＳの流速は遅く、濡れ面９９との接触時間がその分長くなって、火花含有ダストＤＵＳの消火が確実になされる。かくして、充填物８を通過して先端筒部４の吐出側筒孔へと向かうのは、火花含有ダストＤＵＳからダストＤＵのみになり、これを集塵機ＤＣに導いても火災は起きなくなる。合理的構成にして安全性に優れた消火装置になっている。これにとどまらず、消火装置１は、火花含有ダストＤＵＳ中の大きな異物を、充填物８がフィルタ機能を働かせて捕捉するので、大きな異物を除去する集塵機ＤＣの前処理装置としての威力も発揮する。
【手続補正８】
【補正対象書類名】明細書
【補正対象項目名】００２７
【補正方法】変更
【補正の内容】
【００２７】
１            火花の消火装置
２            外套シェル
３            主要筒部
３１          主筒部
３１ａ        一方の筒口
３１ｂ        他方の筒口
３２          下蓋部
３２ａ        吸入側筒口
３３          上蓋部
３３ａ        吐出側筒口
４            先端筒部
４２          吸入側筒孔
４３          吐出側筒孔
５            基端筒部
５２          一端側筒口
５３          他端側筒口
６            ヒンジ部
８            充填物
８ａ          不織布
９            吸水手段
９２          給水管
９３          噴霧ノズル
９６          噴霧水
ＤＵＳ        火花含有ダスト
Ｄｍ          ダクト口
【手続補正９】
【補正対象書類名】図面
【補正対象項目名】図２
【補正方法】変更
【補正の内容】
【図２】
2010201305.tif 000008